(57)【要約】
　【課題】　カード式の健康保険被保険者証の保管に適した健康保険証ファイルを提供する。
　【解決手段】　表表紙１２と裏表紙１４とが見開き自在となり、表表紙１２と裏表紙１４との間にわたり表題紙２０を挿入することができるように、表表紙１２と裏表紙１４の裏面に折り返し部１６、１８が形成されており、前記折り返し部１６には、カード式健康保険被保険者証が出し入れ自在且つ保持可能となったカードポケット部２２が複数設けられてなる。
【選択図】　図３
0003100288.tif 000002
【実用新案登録請求の範囲】
【請求項１】
　表表紙と裏表紙とが見開き自在となった健康保険証ファイルであって、
　表表紙と裏表紙の少なくとも一方の少なくとも一部の裏面に折り返し部が形成されて、表表紙及び裏表紙と折り返し部の間に表題紙を挿入することができるようになっており、
　前記折り返し部の少なくとも一部には、カード式健康保険被保険者証が出し入れ自在且つ保持可能となったカードポケット部が１つ以上設けられてなる健康保険証ファイル。
【請求項２】
　前記折り返し部は、表表紙の裏面と裏表紙の裏面の両方にそれぞれ形成されており、それぞれの折り返し部にカードポケット部が形成される請求項１記載の健康保険証ファイル。
【請求項３】
　前記折り返し部は、表表紙の裏面と裏表紙の裏面の両方にそれぞれ形成されており、片方の折り返し部にカードポケット部が形成される請求項１記載の健康保険証ファイル。
【請求項４】
　前記カードポケット部は、カードを差込自在の差込口と、カードを収納する収納部とを有する請求項１に記載の健康保険証ファイル。
【請求項５】
　前記カードポケット部は、複数設けられる請求項１記載の健康保険証ファイル。
【考案の詳細な説明】
【技術分野】
【０００１】
　本考案は、健康保険証ファイルに関する。
【背景技術】
【０００２】
　従来のこの種の健康保険証ファイルとしては、図８に示すように、健康保険被保険者証が出し入れ可能となった出し入れ口を一辺に備える袋状の軟質合成樹脂からなるファイルＦが知られている。
　このようなファイルでは、出し入れ口から紙形式で折り畳まれた健康保険被保険者証を出し入れ可能となっており、必要に応じて病院・薬局等の窓口において、健康保険被保険者証をファイルから取り出して、提示している。
【０００３】
　しかしながら、このようなタイプのファイルは、カード式の健康保険被保険者証には適していないという問題がある。そのため、カード式の健康保険被保険者証は、ファイルなどには保管されずに、単体で保管されており、紛失しやすいという問題がある。また、近年、病院・医院の診察券は、紙製またはプラスチック製のカード式、または磁気ストライプまたはＩＣチップが装填されたカード式の診察券が主流であり、これらも個別に保管されているために、一緒に提示を求められる際などに不便であるという問題がある。
【考案の開示】
【考案が解決しようとする課題】
【０００４】
　本考案の目的は、前述した課題を解決するために、カード式の健康保険被保険者証の保管に適した健康保険証ファイルを提供することである。
【課題を解決するための手段】
【０００５】
　前述した目的を達成するために、本考案のうち請求項１記載の考案は、表表紙と裏表紙とが見開き自在となった健康保険証ファイルであって、
　表表紙と裏表紙の少なくとも一方の少なくとも一部の裏面に折り返し部が形成されて、表表紙及び裏表紙と折り返し部の間に表題紙を挿入することができるようになっており、
　前記折り返し部の少なくとも一部には、カード式健康保険被保険者証が出し入れ自在且つ保持可能となったカードポケット部が１つ以上設けられてなることを特徴とする。
【０００６】
　請求項２記載の考案は、請求項１記載の前記折り返し部が、表表紙の裏面と裏表紙の裏面の両方にそれぞれ形成されており、それぞれの折り返し部にカードポケット部が形成される。
【０００７】
　請求項３記載の考案は、請求項１記載の前記折り返し部が、表表紙の裏面と裏表紙の裏面の両方にそれぞれ形成されており、片方の折り返し部にカードポケット部が形成される。
【０００８】
　請求項４記載の考案は、請求項１記載の前記カードポケット部が、カードを差込自在の差込口と、カードを収納する収納部とを有する。
【０００９】
　請求項５記載の考案は、請求項１記載の前記カードポケット部が、複数設けられる。
【考案の効果】
【００１０】
　本考案によれば、カードポケット部にカード式健康保険被保険者証を保持して、カード式健康保険被保険者証を保管することができる。また、折り返し部と表表紙または裏表紙のいずれかとの間に形成される隙間を利用して、領収書などの関連書類を挟み込んで保管することも可能になる。
【００１１】
　また、カードポケット部を複数設けることにより、複数のカード式健康保険被保険者証を保管することもでき、または、カード式診察券などの関連カードを一緒に保管することも可能であり、紛失を防止して、保管や診察の際のカードの提示を便利にすることができる。
【考案を実施するための最良の形態】
【００１２】
　以下、図面を用いて本考案の実施の形態を説明する。本考案は下記実施形態に限定されるものではない。
【００１３】
　（第１の実施形態）
　図１及び図２は本考案の第１実施形態を表す全体斜視図及び正面図である。図において、健康保険証ファイル１０は、表表紙１２と裏表紙１４とが見開き自在となって構成される。表表紙１２と裏表紙１４とは、一枚の透明な軟質の合成樹脂シートで構成され、その中央が折線１３となって折り畳み可能となっている。
【００１４】
　図３は、健康保険証ファイル１０を見開いた状態の図である。表表紙１２と裏表紙１４の、折り畳んだ状態において内側の面となるそれぞれの裏面の一部には、折り返し部１６、１８が形成されている。これらの折り返し部１６、１８は、その周縁辺のうちの２辺が、表表紙１２と裏表紙１４のそれぞれの下縁部と側縁部とに熱溶着、高周波ウエルダ等により溶着されることで、表表紙１２と裏表紙１４のそれぞれの折り返し部となる。折り返し部１６、１８を、表表紙１２と裏表紙１４の裏面の全部に設けることもできる。　 　　　
【００１５】
　折り返し部１６、１８の下縁部と表表紙１２と裏表紙１４の下縁部とが接合されているいることにより、折り返し部１６、１８と表表紙１２、裏表紙１４との間に、表題紙２０を差し込むことが可能になる。表題紙２０の表面には、適宜、「健康保険被保険者証」といった表題が印字されて、表表紙１２と裏表紙１４との間にわたり挿入されるとよく、健康保険証ファイル１０が折り畳まれた状態で、表題が、透明の表表紙１２を介して外側から視認できるようになっている。また、表題紙２０の裏面には、注意事項などが印刷されているとよく、健康保険証ファイル１０が見開かれた状態で、それらの注意が喚起されるようになっている。
【００１６】
　一方の折り返し部１６は、複数のカードポケット部２２が折り重なって連続したものから構成される。各カードポケット部２２は、この例では、図４に示したように、差込口２２ａと、収納部２２ｂとからなり、隣接するカードポケット部２２の収納部２２ｂ同士が折り重なって、連続している。このカードポケット部２２には、カード２４が保持可能となっており、保持されるカード２４としては、カード式健康保険被保険者証が該当するが、これに限らず、カード式診察券も挿入可能である。さらには、別のカードを併せて収容することができる。保持されるカードとしては、紙製またはプラスチック製のカード、または磁気ストライプまたはＩＣチップが装填されたカードとすることができる。これらのカードを健康保険証ファイル１０に保管することにより、紛失を防止することができる。また、これらのカードを同時に使用する際、例えば、診察の際のカードの提示の際にも便利である。
【００１７】
　また、両方の折り返し部１６、１８と表表紙１２、裏表紙１４との間には、領収書などの関連書類を挟み込むことが可能となっている。
【００１８】
　（第２実施形態）
　図５は、第２実施形態を表す正面図である。この例でも、健康保険証ファイル１０は、表表紙１２と裏表紙１４とが見開き自在となって構成される。表表紙１２と裏表紙１４とは、一枚の透明軟質の合成樹脂シートで構成され、その中央が折線１３となって折り畳み可能となっている。
【００１９】
　図５は、健康保険証ファイル１０を見開いた状態の図である。表表紙１２と裏表紙１４折り畳んだ状態において内側の面となるそれぞれの裏面の一部には、折り返し部２６、２８が形成されている。これらの折り返し部２６、２８は、表表紙１２と裏表紙１４から連続したシートであって、側方に折り返されて、その折り返し部２６と表表紙１２のそれぞれの下縁部同士、及び折り返し部２８と裏表紙１４のそれぞれの下縁部同士が熱溶着、高周波ウエルダ等により溶着されている。
【００２０】
　折り返し部２６、２８の下縁部と表表紙１２と裏表紙１４の下縁部とが接合されているいることにより、折り返し部２６、２８と表表紙１２、裏表紙１４との間に、表題紙２０を差し込んで、表表紙１２と裏表紙１４とにわたり表題紙２０を挿入することが可能になる。
【００２１】
　両方の折り返し部２６、２８には、それぞれ、複数のカードポケット部３２が形成されている。カードポケット部３２は、差込口３２ａと収納部３２ｂとからなり、この例では、図７に示したように、差込口３２ａは、折り返し部２６、または折り返し部２８に形成されたスリットからなり、また、収納部３２ｂは、折り返し部２６と表表紙１２、または折り返し部２８と裏表紙１４との間に形成された隙間からなる。また、折り返し部２６、２８に形成された蓋部２６ａ、２８ａが、折曲自在となっており、差込口３２ａを適宜覆うことが可能となっている。
【００２２】
　以上のように構成される健康保険証ファイル１０においても、第１実施形態と同様の効果が得られ、カードポケット部３２には、カード２４が保持可能となっており、保持されるカード２４としては、カード式健康保険被保険者証が該当するが、これに限らず、カード式診察券も挿入可能である。さらには、別のカードを併せて収容することができ、紛失を防止して、保管や診察の際のカードの提示にも便利となっている。
【００２３】
　また、両方の折り返し部２６、２８と表表紙１２、裏表紙１４との間には、領収書などの関連書類を挟み込むことが可能となっている。
【図面の簡単な説明】
【００２４】
【図１】本考案の第１実施形態に係る健康保険証ファイルを表す全体斜視図である。
【図２】第１実施形態に係る健康保険証ファイルの正面図である。
【図３】第１実施形態に係る健康保険証ファイルを見開いた状態の正面図である。
【図４】図３の４−４線に沿って見た断面図である。
【図５】本考案の第２実施形態に係る健康保険証ファイルを表す正面図である。
【図６】第２実施形態に係る健康保険証ファイルを見開いた状態の正面図である。
【図７】図６の７−７線に沿って見た断面図である。
【図８】従来の健康保険証ファイルの斜視図である。
【符号の説明】
【００２５】
　１０　健康保険証ファイル
　１２　表表紙
　１４　裏表紙
　１６、２６　折り返し部
　１８、２８　折り返し部
　２０　表題紙
　２２、３２　カードポケット部
　２４　カード
【図１】
0003100288.tif 000003
【図２】
0003100288.tif 000004
【図３】
0003100288.tif 000005
【図４】
0003100288.tif 000006
【図５】
0003100288.tif 000007
【図６】
0003100288.tif 000008
【図７】
0003100288.tif 000009
【図８】
0003100288.tif 000010